(57)【要約】【課題】基地局装置が送信する信号の移動局装置における検出特性を向上させることができる基地局装置、移動局装置、通信システムを提供する。【解決手段】マルチキャリア方式を使用して移動局装置と通信する基地局装置であって、移動局装置に送信する第１の信号と第２の信号とを取得する送信信号取得部と、送信信号取得部が取得した第１の信号を隣接する２つ以上のサブキャリアにおける実軸上又は虚軸上に配置し、送信信号取得部が取得した第２の信号を隣接する２つ以上のサブキャリアにおける第１の信号配置と直交する実軸上又は虚軸上に配置する信号配置部と、信号配置部が出力する信号を移動局装置に送信する送信部とを備える。【選択図】図１
2009065557.tif 000002
【特許請求の範囲】
【請求項１】
マルチキャリア方式を使用して移動局装置と通信する基地局装置であって、
前記移動局装置に送信する第１の信号と第２の信号とを取得する送信信号取得部と、
前記送信信号取得部が取得した第１の信号を隣接する２つ以上のサブキャリアにおける実軸上又は虚軸上に配置し、前記送信信号取得部が取得した第２の信号を隣接する２つ以上のサブキャリアにおける前記第１の信号配置と直交する実軸上又は虚軸上に配置する信号配置部と、
前記信号配置部が出力する信号を前記移動局装置に送信する送信部と、
を備えることを特徴とする基地局装置。
【請求項２】
前記信号配置部は、前記送信信号取得部が取得した第１の信号を第１のサブキャリアの実軸上と当該第１のサブキャリアに隣接する第２のサブキャリアの実軸上に配置し、前記送信信号取得部が取得した第２の信号を第１のサブキャリアの虚軸上と当該第１のサブキャリアに隣接する第２のサブキャリアの虚軸上に符号を反転して配置することを特徴とする請求項１に記載の基地局装置。
【請求項３】
前記信号配置部は、前記送信信号取得部が取得した第１の信号を第１のサブキャリアの実軸上と当該第１のサブキャリアに隣接する第２のサブキャリアの虚軸上に配置し、前記送信信号取得部が取得した第２の信号を第１のサブキャリアの虚軸上と当該第１のサブキャリアに隣接する第２のサブキャリアの実軸上に配置することを特徴とする請求項１に記載の基地局装置。
【請求項４】
前記信号配置部は、前記送信信号取得部が取得した第１の信号を第１のサブキャリアの実軸上に配置し、前記送信信号取得部が取得した第２の信号を第１のサブキャリアの虚軸上に配置し、第２のサブキャリアには第１のサブキャリアの信号に既知の符号を乗算することを特徴とする請求項１に記載の基地局装置。
【請求項５】
前記既知の符号は、自基地局装置に属するセル又はセクタごとに異なる符号であることを特徴とする請求項４に記載の基地局装置。
【請求項６】
前記既知の符号は、自基地局装置のセル種別ごとに異なる符号であることを特徴とする請求項４に記載の基地局装置。
【請求項７】
マルチキャリア方式を使用して基地局装置と通信する移動局装置であって、
前記基地局装置が送信する信号を受信する受信部と、
前記受信部が受信した信号から第１の信号及び第２の信号を取得する受信信号取得部と、
前記受信信号取得部が取得した信号に自移動局装置が位置するセクタ又はセルに固有な符号を乗算する符号乗算部と、
を備えることを特徴とする移動局装置。
【請求項８】
マルチキャリア方式を使用して基地局装置と通信する移動局装置であって、
前記基地局装置が送信する信号を受信する受信部と、
前記受信部が受信した信号から第１の信号及び第２の信号を取得する受信信号取得部と、
前記受信信号取得部が取得した信号に自移動局装置が同期するセル種別に固有な符号を乗算する符号乗算部と、
を備えることを特徴とする移動局装置。
【請求項９】
マルチキャリア方式を使用して通信を行う基地局装置と移動局装置とを備える通信システムであって、
前記基地局装置は、
前記移動局装置に送信する第１の信号と第２の信号とを取得する送信信号取得部と、
前記送信信号取得部が取得した第１の信号を隣接する２つ以上のサブキャリアにおける実軸上又は虚軸上に配置し、前記送信信号取得部が取得した第２の信号を隣接する２つ以上のサブキャリアにおける前記第１の信号配置と直交する実軸上又は虚軸上に配置する信号配置部と、
前記信号配置部が出力する信号を前記移動局装置に送信する送信部とを備え、
前記移動局装置は、
前記送信部が送信する信号を受信する受信部と、
前記受信部が受信した信号から第１の信号及び第２の信号を取得する受信信号取得部とを備えることを特徴とする通信システム。
【請求項１０】
マルチキャリア方式を使用して通信を行う基地局装置と移動局装置とを用いた通信方法であって、
前記基地局装置は、
前記移動局装置に送信する第１の信号と第２の信号とを取得する送信信号取得過程と、
前記送信信号取得過程で取得した第１の信号を隣接する２つ以上のサブキャリアにおける実軸上又は虚軸上に配置し、前記送信信号取得過程で取得した第２の信号を隣接する２つ以上のサブキャリアにおける前記第１の信号配置と直交する実軸上又は虚軸上に配置する信号配置過程と、
前記信号配置過程で出力される信号を前記移動局装置に送信する送信過程とを実行し、
前記移動局装置は、
前記送信過程で送信された信号を受信する受信過程と、
前記受信過程で受信した信号から第１の信号及び第２の信号を取得する受信信号取得過程とを実行することを特徴とする通信方法。
【発明の詳細な説明】
【技術分野】
【０００１】
本発明は、基地局装置、移動局装置、通信システム及び通信方法、特に、マルチキャリア方式を使用して通信を行う基地局装置、移動局装置、通信システムに関する。
【背景技術】
【０００２】
現在、第３世代の周波数帯に第４世代向けに検討されていた技術の一部を導入することによって、通信速度の高速化を目的としたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）が標準化団体３ＧＰＰ（３ｒｄ  Ｇｅｎｅｒａｔｉｏｎ  Ｐａｒｔｎｅｒｓｈｉｐ  Ｐｒｏｊｅｃｔ）にて検討されている（非特許文献１）。
ＥＵＴＲＡでは、通信方式として、マルチパス干渉に強く、高速伝送に適したＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多元接続）方式を採用することが決まっている。また、ＥＵＴＲＡに関するデータ転送制御やリソース管理制御といった上位層の動作に関する詳細仕様は、低遅延、低オーバーヘッド化を実現し、更に可能な限り簡易な技術の採用が進められている。
【０００３】
セルラ移動通信方式では、移動局装置が基地局装置の通信エリアであるセルまたはセクタ内において、事前に基地局装置と無線同期している必要があることから、基地局装置では規定の構成からなる同期チャネルＳＣＨ（Ｓｙｎｃｈｒｏｎｉｚａｔｉｏｎ  Ｃｈａｎｎｅｌ）の信号を送信し、移動局装置にて同期チャネルＳＣＨを検出することで基地局装置と同期を取る。
なお、第３世代の通信方式の一つであるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域時分割多元接続）方式では、同期チャネルＳＣＨの信号として、同期チャネルＰ−ＳＣＨ（Ｐｒｉｍａｒｙ  ＳＣＨ）の信号と、同期チャネルＳ−ＳＣＨ（Ｓｅｃｏｎｄａｒｙ  ＳＣＨ）の信号とが同じタイミングで移動局装置に送信される。
【０００４】
図１４は、従来から知られているセルサーチ手順の処理を示すフローチャートである。
移動局装置は、同期チャネルＰ−ＳＣＨのレプリカ信号と受信信号との相関を取ることによってスロットタイミングを取得する（ステップＳ１）。
そして、同期チャネルＳ−ＳＣＨのレプリカ信号と受信信号とで相関を取り、得られた同期チャネルＳ−ＳＣＨの信号の送信パターンによってフレーム同期を取得すると共に、基地局装置を区別するセルＩＤのグループを特定する（ステップＳ２）。
そして、セルＩＤグループから基地局装置のセルＩＤを特定するために、共通パイロットチャネルＣＰＩＣＨ（Ｃｏｍｍｏｎ  Ｐｉｌｏｔ  Ｃｈａｎｎｅｌ）の品質を測定し、最も品質が高い共通パイロットチャネルＣＰＩＣＨから、対応するセルＩＤを検出する（ステップＳ３）。図１４の技術については、例えば、非特許文献１の３５頁〜４５頁“２−２−２．セルサーチ”に記載されている。
上記の一連の制御、すなわち、移動局装置が基地局装置と無線同期を取り、更にその基地局装置のセルＩＤを特定するまでの３段階の処理Ｓ１〜Ｓ３をセルサーチ手順と呼ぶ。
【０００５】
セルサーチは、初期セルサーチと周辺セルサーチとに分類される。初期セルサーチとは、移動局装置の電源投入後に最も近いセルを検索し、そのセルに在圏するために行うセルサーチである。周辺セルサーチとは初期セルサーチ後に、移動局装置がハンドオーバー先の候補セルを検索するために行うセルサーチのことである。
ＥＵＴＲＡは、ＯＦＤＭＡ方式を用いたマルチキャリア通信であるため、同期チャネルＳＣＨを使用するものの、前述したＷ−ＣＤＭＡ方式のセルサーチとは異なるチャネルマッピングと、セルサーチ制御が必要である。例えば、セルサーチ手順はＷ−ＣＤＭＡと異なり、２ステップで完了することが可能である。
【０００６】
図１５は、ＥＵＴＲＡにおける無線フレームの構成の一例を示す図である。図１５では、横軸に時間軸をとっており、縦軸に周波数軸をとっている。無線フレームは、周波数軸を複数のサブキャリアの集合で構成される一定の周波数領域（ＢＲ）と、一定の送信時間間隔（スロット）で構成される領域を一単位として構成されている（非特許文献２）。
また、１スロットの整数倍から構成される送信時間間隔をサブフレームと呼ぶ。更に、複数のサブフレームをまとめたものをフレームと呼ぶ。
【０００７】
図１５では、１つのサブフレームが２つのスロットから構成される場合を示している。この一定の周波数領域（ＢＲ）と１スロット長で区切られた領域を、基地局装置から移動局装置に対する下りの信号ではリソースブロックと呼び、移動局装置から基地局装置に対する上りの信号ではリソースユニットと呼ぶ。
図１５中のＢＷはシステム帯域幅を示しており、ＢＲはリソースブロック（またはリソースユニット）の帯域幅を示している。
【０００８】
図１６は、ＥＵＴＲＡにおける同期チャネルＳＣＨ（Ｐ−ＳＣＨ、Ｓ−ＳＣＨ）について説明する図である。図１６では、横軸に時間軸をとっており、縦軸に周波数軸をとっている。同期チャネルＰ−ＳＣＨは、システム帯域幅の中心の６つのリソースブロックにおいて、サブフレーム番号＃０及び＃５の先頭スロットの最終シンボルに配置される。
同期チャネルＳ−ＳＣＨは、同期チャネルＰ−ＳＣＨの直前のシンボルに配置される（非特許文献２）。
【０００９】
図１７は、従来から知られているセルの構成を説明する図である。セルＣ−１はセクタＳ−１１〜Ｓ−１３から構成されており、セルＣ−２はセクタＳ−２１〜Ｓ−２３から構成されており、セルＣ−３はセクタＳ−３１〜Ｓ−３３から構成されている。
各セルの中心にある基地局装置Ｂ−１、Ｂ−２、Ｂ−３から各セルＣ−１〜Ｃ−３の各セクタに対して図１５のフレーム構造の信号が送信される。
ここでは、同期チャネルＳ−ＳＣＨに割り当てられる符号ＳＳＣ（Ｓｅｃｏｎｄｌｙ  Ｓｙｎｃｈｒｏｎｉｚａｔｉｏｎ  Ｃｏｄｅ）はセル毎に固有の信号である。すなわち、同一セル内の各セクタの同期チャネルＳ−ＳＣＨに対しては同じ符号ＳＳＣが送信される。
【００１０】
図１８は、従来から知られている同期チャネルＳ−ＳＣＨの構成を説明する図である。図１８に示す同期チャネルＳ−ＳＣＨの構成は、非特許文献３に記載されている。例えば、同期チャネルＳ−ＳＣＨに用いるサブキャリア数を６４（図１８において、Ｎ＝６４）とし、３２符号長の３２種類のバイナリ符号（たとえばアダマール符号やＭ系列符号）を２種類（符号ＳＳＣ１および符号ＳＳＣ２）組み合わせることにより、最大で３２種類×３２種類＝１０２４の情報を同期チャネルＳ−ＳＣＨに乗せることができる。
このときの符号ＳＳＣ１および符号ＳＳＣ２の周波数軸へのマッピングについては、図１８（ａ）に示すような符号ＳＳＣ１と符号ＳＳＣ２を交互に複素平面における実軸上に配置するインターリーブ型配置や、図１８（ｂ）に示すような符号ＳＳＣ１と符号ＳＳＣ２をそれぞれ周波数軸の中心を境に両側の実軸上に配置する配置が挙げられる。
【００１１】
さらに、非特許文献３では周波数ずれによる隣接するサブキャリア信号同士の干渉の影響を除くために、図１８（ｃ）や図１８（ｄ）に示すように、隣接するサブキャリアの信号を実軸上、虚軸上にわけて配置させる方法が提案されている。
【００１２】
図１７において、前述のように同一セル内のセクタ間で前記３つのそれぞれ直交する符号ＰＳＣ（Ｐｒｉｍａｒｙ  Ｓｙｎｃｈｒｏｎｉｓａｔｉｏｎ  Ｃｏｄｅ）を使い分ける場合について説明する。異なるセル間において、同一セクタ番号の符号ＰＳＣは同じものを用いる。
初期セルサーチを行う移動局装置Ｍ−１は基地局装置Ｂ−１のセクタＳ−１２から送信された信号を受信し、移動局装置Ｍ−２はセクタＳ−１３から送信された信号を受信する。３種類の同期チャネルＰ−ＳＣＨのうち自局内で保持しているレプリカと受信した信号との相関を一定期間観測し、相関ピークが最大となる時刻と符号ＰＳＣの種類から、自局が同期する対象となるセクタ番号（ここではセクタＳ−１３）とスロットのタイミングを取得する（図１４におけるステップＳ１）。
【００１３】
次に、移動局装置Ｍ−１は、セクタＳ−１３の符号ＰＳＣのレプリカと受信した同期チャネルＰ−ＳＣＨの信号との差から伝播路推定を行う。さらに取得したフレームタイミングから同期チャネルＳ−ＳＣＨの位置を同定し、前述の同期チャネルＰ−ＳＣＨの伝播路推定結果を用いて伝播路補償を行う。
伝播路補償された同期チャネルＳ−ＳＣＨから符号ＳＳＣ１、符号ＳＳＣ２を同定し、その組み合わせから、セル番号、フレームタイミング情報、送信アンテナ数などの情報を取得する（図１４におけるステップＳ２）。
上述の処理を行うことにより２段階の処理Ｓ１、Ｓ２だけでセルサーチを行うことができる。
【非特許文献１】立川  敬二，“Ｗ−ＣＤＭＡ移動通信方式”，ＩＳＢＮ４−６２１−０４８９４−５，平成１３年６月２５日初版発行、丸善株式会社
【非特許文献２】３ＧＰＰ  ＴＲ（Ｔｅｃｈｎｉｃａｌ  Ｒｅｐｏｒｔ）３６．２１１、Ｐｈｙｓｉｃａｌ  Ｃｈａｎｎｅｌｓ  ａｎｄ  Ｍｏｄｕｌａｌｔｉｏｎ．Ｖ１．１．０，［平成１９年５月２５日検索］，インターネット（ＵＲＬ：  ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ）
【非特許文献３】３ＧＰＰ寄書  Ｒ１−０７２３２８  ，  “Ｓｅｃｏｎｄａｒｙ−Ｓｙｎｃｈｒｏｎｉｚａｔｉｏｎ  Ｃｈａｎｎｅｌ  Ｄｅｓｉｇｎ”，［平成１９年５月２５日検索］，インターネット（ＵＲＬ：  ｆｔｐ：／／ｆｔｐ．３ｇｐｐ．ｏｒｇ／ＴＳＧ＿ＲＡＮ／ＷＧ１＿ＲＬ１／ＴＳＧＲ１＿４９／Ｄｏｃｓ／Ｒ１−０７２３２８．ｚｉｐ）
【発明の開示】
【発明が解決しようとする課題】
【００１４】
しかしながら、従来の技術では、基地局装置から移動局装置に送信する信号を、実軸上又は虚軸上に重複しないように配置しているため、通信時に周波数の特性が悪い場合には、その周波数の信号を、移動局装置で受信することができず、基地局装置が送信する信号の移動局装置における検出特性が低下するという問題があった。
【００１５】
本発明は、上記事情に鑑みてなされたものであり、その目的は、基地局装置が送信する信号の移動局装置における検出特性を向上させることができる基地局装置、移動局装置、通信システムを提供することにある。
【課題を解決するための手段】
【００１６】
（１）  本発明は、上記課題を解決するためになされたもので、本発明の一態様による基地局装置は、マルチキャリア方式を使用して移動局装置と通信する基地局装置であって、前記移動局装置に送信する第１の信号と第２の信号とを取得する送信信号取得部と、前記送信信号取得部が取得した第１の信号を隣接する２つ以上のサブキャリアにおける実軸上又は虚軸上に配置し、前記送信信号取得部が取得した第２の信号を隣接する２つ以上のサブキャリアにおける前記第１の信号配置と直交する実軸上又は虚軸上に配置する信号配置部と、前記信号配置部が出力する信号を前記移動局装置に送信する送信部とを備える。
本発明では、第１の信号を隣接する２つ以上のサブキャリアにおける実軸上又は虚軸上に配置し、第２の信号を隣接する２つ以上のサブキャリアにおける第１の信号配置と直交する実軸上又は虚軸上に配置するようにしたので、第１の信号又は第２の信号を移動局装置で受信することができない場合であっても、その信号に隣接する２つ以上のサブキャリアに配置されている信号を受信することができる。よって、基地局装置が送信する信号の移動局装置における検出特性を向上させることができる。
【００１７】
（２）  また、本発明の一態様による基地局装置の前記信号配置部は、前記送信信号取得部が取得した第１の信号を第１のサブキャリアの実軸上と当該第１のサブキャリアに隣接する第２のサブキャリアの実軸上に配置し、前記送信信号取得部が取得した第２の信号を第１のサブキャリアの虚軸上と当該第１のサブキャリアに隣接する第２のサブキャリアの虚軸上に符号を反転して配置する。
【００１８】
（３）  また、本発明の一態様による基地局装置の前記信号配置部は、前記送信信号取得部が取得した第１の信号を第１のサブキャリアの実軸上と当該第１のサブキャリアに隣接する第２のサブキャリアの虚軸上に配置し、前記送信信号取得部が取得した第２の信号を第１のサブキャリアの虚軸上と当該第１のサブキャリアに隣接する第２のサブキャリアの実軸上に配置する。
【００１９】
（４）  また、本発明の一態様による基地局装置の前記信号配置部は、前記送信信号取得部が取得した第１の信号を第１のサブキャリアの実軸上に配置し、前記送信信号取得部が取得した第２の信号を第１のサブキャリアの虚軸上に配置し、第２のサブキャリアには第１のサブキャリアの信号に既知の符号を乗算する。
【００２０】
（５）  また、本発明の一態様による基地局装置の前記既知の符号は、自基地局装置に属するセル又はセクタごとに異なる符号である。
【００２１】
（６）  また、本発明の一態様による基地局装置は、前記既知の符号は、自基地局装置のセル種別ごとに異なる符号である。
【００２２】
（７）  また、本発明の一態様による移動局装置は、マルチキャリア方式を使用して基地局装置と通信する移動局装置であって、前記基地局装置が送信する信号を受信する受信部と、前記受信部が受信した信号から第１の信号及び第２の信号を取得する受信信号取得部と、前記受信信号取得部が取得した信号に自移動局装置が位置するセクタ又はセルに固有な符号を乗算する符号乗算部とを備える。
【００２３】
（８）  また、本発明の一態様による移動局装置は、マルチキャリア方式を使用して基地局装置と通信する移動局装置であって、前記基地局装置が送信する信号を受信する受信部と、前記受信部が受信した信号から第１の信号及び第２の信号を取得する受信信号取得部と、前記受信信号取得部が取得した信号に自移動局装置が同期するセル種別に固有な符号を乗算する符号乗算部とを備える。
【００２４】
（９）  また、本発明の一態様による通信システムは、マルチキャリア方式を使用して通信を行う基地局装置と移動局装置とを備える通信システムであって、前記基地局装置は、前記移動局装置に送信する第１の信号と第２の信号とを取得する送信信号取得部と、前記送信信号取得部が取得した第１の信号を隣接する２つ以上のサブキャリアにおける実軸上又は虚軸上に配置し、前記送信信号取得部が取得した第２の信号を隣接する２つ以上のサブキャリアにおける前記第１の信号配置と直交する実軸上又は虚軸上に配置する信号配置部と、前記信号配置部が出力する信号を前記移動局装置に送信する送信部とを備え、前記移動局装置は、前記送信部が送信する信号を受信する受信部と、前記受信部が受信した信号から第１の信号及び第２の信号を取得する受信信号取得部とを備える。
【００２５】
（１０）  また、本発明の一態様による通信方法は、マルチキャリア方式を使用して通信を行う基地局装置と移動局装置とを用いた通信方法であって、前記基地局装置は、前記移動局装置に送信する第１の信号と第２の信号とを取得する送信信号取得過程と、前記送信信号取得過程で取得した第１の信号を隣接する２つ以上のサブキャリアにおける実軸上又は虚軸上に配置し、前記送信信号取得過程で取得した第２の信号を隣接する２つ以上のサブキャリアにおける前記第１の信号配置と直交する実軸上又は虚軸上に配置する信号配置過程と、前記信号配置過程で出力される信号を前記移動局装置に送信する送信過程とを実行し、前記移動局装置は、前記送信過程で送信された信号を受信する受信過程と、前記受信過程で受信した信号から第１の信号及び第２の信号を取得する受信信号取得過程とを実行する。
【発明の効果】
【００２６】
本発明の基地局装置、移動局装置、通信システムでは、基地局装置が送信する信号の移動局装置における検出特性を向上させることができる。
【発明を実施するための最良の形態】
【００２７】
以下、図面を参照し、本発明の実施形態について説明する。始めに、本発明の第１の実施形態について説明する。
【００２８】
（第１の実施形態）
図１は、本発明の第１の実施形態による基地局装置１００の構成を示す概略ブロック図である。図１の基地局装置１００は、制御部１１、受信アンテナ１２ａ〜１２ｃ、受信部１３ａ〜１３ｃ、送信アンテナ１４ａ〜１４ｃ、送信部１５ａ〜１５ｃを備えている。
受信部１３ａ〜１２ｃは、それぞれ受信処理部１３１、Ａ／Ｄ（Ａｎａｌｏｇ／Ｄｉｇｉｔａｌ）変換部１３２、復調処理部１３３を備えている。なお、受信部１３ａは、基地局装置１００が管理する１つ目のセクタに在圏する移動局装置から信号を受信する。受信部１３ｂは、基地局装置１００が管理する２つ目のセクタに在圏する移動局装置から信号を受信する。受信部１３ｃは、基地局装置１００が管理する３つ目のセクタに在圏する移動局装置から信号を受信する。
【００２９】
送信部１５ａ〜１５ｃは、それぞれデータ変調部１５１（送信信号取得部とも称する）、制御信号変調部１５２、同期信号生成部１５３ａ、多重・変調処理部１５４（信号配置部とも称する）、Ｄ／Ａ（Ｄｉｇｉｔａｌ／Ａｎａｌｏｇ）変換部１５５、送信処理部１５６（送信部とも称する）を備えている。なお、送信部１５ａは、基地局装置１００が管理する１つ目のセクタに在圏する移動局装置に信号を送信する。送信部１５ｂは、基地局装置１００が管理する２つ目のセクタに在圏する移動局装置に信号を送信する。送信部１５ｃは、基地局装置１００が管理する３つ目のセクタに在圏する移動局装置に信号を送信する。
以上では、受信部１３ａの動作をもって他の受信部１３ｂ、１３ｃの動作を代表して説明した。また、送信部１５ａの動作をもって他の送信部１５ｂ、１５ｃの動作を代表して説明した。
【００３０】
制御部１１は、送信部１５ａ〜１５ｃや受信部１３ａ〜１３ｃに制御信号を出力することにより、基地局装置１００の各部を制御する。
受信アンテナ１２ａ〜１２ｃは、各移動局装置２００（図４）からの信号を受信し、その信号を受信部１３ａ〜１３ｃに出力する。
受信処理部１３１は、受信アンテナ１２ａ〜１２ｃから出力される信号を、復調可能な周波数に変換し、その信号をＡ／Ｄ変換部１３２に出力する。
【００３１】
Ａ／Ｄ変換部１３２は、受信処理部１３１から出力されるアナログ信号をデジタル信号に変換し、その信号を復調処理部１３３に出力する。
復調処理部１３３は、制御部１１の制御に基づいて、Ａ／Ｄ変換部１３２から出力されるデジタル信号を復調処理し、その信号を基地局装置１００の上位層に、各移動局装置からのデータとして出力する。
【００３２】
データ変調部１５１は、制御部１１の制御に基づいて、移動局装置２００に送信する送信データ（第１の信号と第２の信号）を、基地局装置１００の上位層から取得し、その送信データを変調して多重・変調処理部１５４に出力する。
制御信号変調部１５２は、制御部１１の制御に基づいて、移動局装置２００への制御信号を変調し、その信号を多重・変調処理部１５４に出力する。
同期信号生成部１５３ａは、制御部１１の制御に基づいて、同期チャネルＳＣＨ（Ｐ―ＳＣＨ，Ｓ―ＳＣＨ）の信号を生成し、その信号を多重・変調処理部１５４に出力する。
【００３３】
多重・変調処理部１５４は、データ変調部１５１、制御信号変調部１５２、同期信号生成部１５３ａからそれぞれ出力される信号に対して、送信フレームとして多重・変調処理を行い、その信号をＤ／Ａ変換部１５５に出力する。例えば、多重・変調処理部１５４は、データ変調部１５１が取得した第１の信号を隣接する２つ以上のサブキャリアにおける実軸上又は虚軸上に配置し、データ変調部１５１が取得した第２の信号を隣接する２つ以上のサブキャリアにおける第１の信号配置と直交する実軸上又は虚軸上に配置する。
Ｄ／Ａ変換部１５５は、多重・変調処理部１５４から出力されるデジタル信号をアナログ信号に変換し、その信号を送信処理部１５６に出力する。
送信処理部１５６は、Ｄ／Ａ変換部１５５から出力されるアナログ信号の周波数を、送信に必要な周波数に変換し、その信号を送信アンテナ１４ａ〜１４ｃにそれぞれ出力する。
送信アンテナ１４ａ〜１４ｃは、送信部１５ａ〜１５ｃの送信処理部１５６から出力される信号を、各移動局装置へ送信する。
【００３４】
図２は、本発明の第１の実施形態による基地局装置１００の同期信号生成部１５３ａ（図１）の構成を示す概略ブロック図である。同期信号生成部１５３ａは、記憶部２１ａ〜２１ｃ、セレクタ２２、ＳＳＣ＿Ｓｈｏｒｔ保持部２３、ＳＳＣ選択部２４ａ、２４ｂ、乗算部２５ａ〜２５ｄ、記憶部２６ａ〜２６ｄ、加算部２７ａ、２７ｂ、記憶部２８ａ、２８ｂ、演算部２９ａを備えている。
【００３５】
記憶部２１ａは符号ＰＳＣ（１）を記憶しており、記憶部２１ｂは符号ＰＳＣ（２）を記憶しており、記憶部２１ｃは符号ＰＳＣ（３）を記憶している。
セレクタ２２は、制御部１１（図１）から指定されるＰＳＣ番号に従い、記憶部２１ａ、２１ｂ、２１ｃが記憶している符号ＰＳＣ（１）、符号ＰＳＣ（２）、符号ＰＳＣ（３）のいずれかを選択し、符号ＰＳＣとして出力する。
【００３６】
また、制御部１１（図１）から指定されるＳＳＣ１番号（ｎ１）、ＳＳＣ２番号（ｎ２）に従い、以下の処理が行われる。
ＳＳＣ＿Ｓｈｏｒｔ保持部２３は、符号ＳＳＣ１、符号ＳＳＣ２に用いられるバイナリ符号である符号ＳＳＣ＿Ｓｈｏｒｔ（ｎ、ｋ）を記憶している。ここで、ｎ＝１、２、３、・・・、Ｎ−１、Ｎであり、ｋ＝０、１、２、・・・、Ｋ−２、Ｋ−１であり、符号ＳＳＣ＿ＳｈｏｒｔはＮ種類の長さＫの符号で構成される。
符号ＳＳＣ１、符号ＳＳＣ２は上記符号ＳＳＣ＿Ｓｈｏｒｔ、ｋ、ｎ１、ｎ２（ｎ１、ｎ２はＮ以下の自然数）を用いて、以下の式（１）、式（２）のように表すことができる。
【００３７】
【数１】
2009065557.tif 000003
【００３８】
【数２】
2009065557.tif 000004
【００３９】
上記符号ＳＳＣ１（ｋ）、符号ＳＳＣ２（ｋ）がそれぞれＳＳＣ選択部２４ａ、２４ｂによって選択される。
ＳＳＣ選択部２４ａ、２４ｂで選択された符号ＳＳＣ１、符号ＳＳＣ２を用いて、系列１（Ｓ１）、系列２（Ｓ２）、系列３（Ｓ３）が、乗算部２５ａ、２５ｂで生成される。つまり、乗算部２５ａ、２５ｂは、以下の式（３）を用いて系列１（Ｓ１）を算出し、記憶部２６ａ、２６ｂに記録する。
また、乗算部２５ｃは、以下の式（４）を用いて系列２（Ｓ２）を算出し、記憶部２６ｃに記録する。
また、乗算部２５ｄは、以下の式（５）を用いて系列３（Ｓ３）を算出し、記憶部２６ｄに記録する。
【００４０】
【数３】
2009065557.tif 000005
【００４１】
【数４】
2009065557.tif 000006
【００４２】
【数５】
2009065557.tif 000007
【００４３】
ただし、上記の式（４）、式（５）において、ｊは虚数単位である。
次に、実数の系列Ｓ１（ｋ）と虚数の系列Ｓ２（ｋ）を加算部２７ａが以下の式（６）に基づいて複素数の系列Ｓ４（ｋ）を生成し、記憶部２８ａに記録する。
また、実数の系列Ｓ１（ｋ）と虚数の系列Ｓ３（ｋ）を加算部２７ｂが以下の式（７）に基づいて複素数の系列Ｓ５（ｋ）を生成し、記憶部２８ｂに記録する。
【００４４】
【数６】
2009065557.tif 000008
【００４５】
【数７】
2009065557.tif 000009
【００４６】
演算部２９ａは、記憶部２８ａが記憶しているＳ４（ｋ）と、記憶部２８ｂが記憶しているＳ５（ｋ）とを交互に並べることによって系列Ｓ６（ｋ’）を、以下の式（８）、式（９）により生成する。
【００４７】
【数８】
2009065557.tif 000010
【００４８】
【数９】
2009065557.tif 000011
【００４９】
ただし、式（８）、式（９）において、ｋ’＝０、１、２、・・・、２Ｋ−２、２Ｋ−１である。演算部２９ａで生成された系列６（Ｓ６（ｋ’））が符号ＳＳＣとして出力される。
このように同期信号生成部１５３ａで生成された符号ＰＳＣ、符号ＳＳＣが上述のフレーム構造（図１６）に従い、サブキャリア上にマッピングされ送信される。
【００５０】
図３（ａ）〜図３（ｄ）は、本発明の第１の実施形態によるマッピング方法を説明する図である。図３（ａ）〜図３（ｄ）では、横軸に周波数軸をとっている。
マッピング方法としては、図３（ａ）に示すように中心のサブキャリアＳｃを挟んで配置する方法や、図３（ｂ）に示すように中心のサブキャリアＳｃも用いてマッピングを行い、中心のサブキャリアＳｃに位置する信号に０を乗算（ヌル信号とする）処理を行う方法や、図３（ｃ）や図３（ｄ）に示すようにマッピングの開始位置が図３（ａ）や図３（ｂ）と異なるようにする方法などを使用することができる。
基地局装置と移動局装置との間でマッピング方法を既知としておくことにより、上記の図３（ａ）〜図３（ｄ）で説明した方法以外のマッピング方法を使用することもできる。
【００５１】
図４は、本発明の第１の実施形態による移動局装置２００の構成を示す概略ブロック図である。移動局装置２００は、受信アンテナ３１、受信処理部３２（受信部とも称する）、Ａ／Ｄ変換部３３、同期部３４、ＧＩ（Ｇｕａｒｄ  Ｉｎｔｅｒｖａｌ：ガードインターバル）除去部３５、Ｓ／Ｐ（Ｓｅｒｉａｌ／Ｐａｒａｌｌｅｌ）変換部３６、ＦＦＴ（Ｆａｓｔ  Ｆｏｕｒｉｅｒ  Ｔｒａｎｓｆｏｒｍ：高速フーリエ変換）部３７、伝搬路推定・補償部３８、復調・復号部３９（受信信号取得部とも称する）、変調部４０、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）部４１、Ｐ／Ｓ（Ｐａｒａｌｌｅｌ／Ｓｅｒｉａｌ）変換部４２、ＧＩ付加部４３、Ｄ／Ａ変換部４４、送信処理部４５、送信アンテナ４６、制御部４７を備えている。
【００５２】
受信アンテナ３１は、基地局装置１００から送信される信号を受信し、受信処理部３２に出力する。
受信処理部３２は、基地局装置１００の送信処理部１５６（図１）が送信する信号を受信アンテナ３１によって受信し、その信号の周波数を、復調処理が可能な周波数の信号へ変換し、その信号をＡ／Ｄ変換部３３に出力する。
Ａ／Ｄ変換部３３は、受信処理部３２から出力されるアナログ信号をデジタル信号に変換し、その信号を同期部３４、ＧＩ除去部３５にそれぞれ出力する。
同期部３４は、Ａ／Ｄ変換部３３から出力されるデジタル信号に基づいて、基地局装置１００との時間同期を行うことによりタイミング情報を生成し、ＧＩ除去部３５に出力する。
【００５３】
また、同期部３４は、Ａ／Ｄ変換部３３から出力されるデジタル信号に基づいて、セクタの同定を行うことによりセクタ情報を生成し、伝搬路推定・補償部３８、復調・復号部３９、制御部４７にそれぞれ出力する。
ＧＩ除去部３５は、同期部３４から出力されるタイミング情報に基づいて、Ａ／Ｄ変換部３３から出力される信号からガードインターバルＧＩを除去し、Ｓ／Ｐ変換部３６に出力する。
Ｓ／Ｐ変換部３６は、ＧＩ除去部３５から出力されるシリアル信号をパラレル信号に変換してＦＦＴ部３７に出力する。
ＦＦＴ部３７は、Ｓ／Ｐ変換部３６から出力される時間領域の信号を、高速フーリエ変換の処理を行うことにより周波数領域の信号に変換し、伝搬路推定・補償部３８に出力する。
【００５４】
伝搬路推定・補償部３８は、同期部３４が出力するセクタ情報に基づいて、ＦＦＴ部３７から出力される信号から、伝搬路推定に用いる信号を選択して伝搬路推定と伝搬路補償の処理を行い、復調・復号部３９に出力する。
復調・復号部３９は、受信処理部３２が受信した信号を、Ａ／Ｄ変換部３３、ＧＩ除去部３５、Ｓ／Ｐ変換部３６、ＦＦＴ部３７、伝搬路推定・補償部３８を介して受信し、その信号から送信データ（第１の信号及び第２の信号）を取得し、制御部４７に出力する。具体的には、復調・復号部３９は、同期部３４が出力するセクタ情報に基づいて、伝搬路推定・補償部３８が出力する信号に含まれる制御信号、データ信号、同期チャネルＳ−ＳＣＨの信号などの復調および復号を行い、制御部４７に出力する。
【００５５】
変調部４０は、制御部４７が出力する送信データを変調し、ＩＦＦＴ部４１に出力する。
ＩＦＦＴ部４１は、変調部４０が出力する周波数領域の信号を、時間領域の信号に変換して、Ｐ／Ｓ変換部４２に出力する。
Ｐ／Ｓ変換部４２は、ＩＦＦＴ部４１から出力されるパラレル信号を、シリアル信号に変換して、ＧＩ付加部４３に出力する。
ＧＩ付加部４３は、Ｐ／Ｓ変換部４２から出力される信号に、ガードインターバルＧＩを付加して、Ｄ／Ａ変換部４４に出力する。
Ｄ／Ａ変換部４４は、ＧＩ付加部４３から出力されるデジタル信号を、アナログ信号に変換して、送信処理部４５に出力する。
送信処理部４５は、Ｄ／Ａ変換部４４から出力される信号の周波数を、送信に必要な周波数に変換して、送信アンテナ４６に出力する。
送信アンテナ４６は、送信処理部４５から出力される信号を、基地局装置１００に送信する。
【００５６】
制御部４７は、移動局装置２００の各部を制御する。また、制御部４７は、同期部３４から出力されるセクタ情報や、復調・復号部３９から出力される信号を、移動局装置２００の上位層に出力する。また、制御部４７は、移動局装置２００から基地局装置１００に送信する送信データを上位層から取得し、変調部４０に出力する。
【００５７】
図５は、本発明の第１の実施形態による同期部３４（図４）の構成を示す概略ブロック図である。同期部３４は、相関器５０ａ〜５０ｃ、バッファ５１ａ〜５１ｃ、セクタ・タイミング検出器５２を備えている。
【００５８】
相関器５０ａ〜５０ｃは、符号ＰＳＣ（１）〜符号ＰＳＣ（３）を予め記憶しており、それらの符号ＰＳＣ（１）〜符号ＰＳＣ（３）と受信信号との各々の相関をとり、その相関値をバッファ５１ａ〜５１ｃに出力する。
バッファ５１ａ〜５１ｃは、各相関器５０ａ〜５０ｃの相関値を、一定期間保持する。
セクタ・タイミング検出器５２は、バッファ５１ａ〜５１ｃが保持している相関値から、同期を行う符号ＰＳＣの種類を検出して、セクタ情報として出力する。
また、セクタ・タイミング検出器５２は、バッファ５１ａ〜５１ｃが保持している相関値から、相関値が最大のものを抽出することでセクタの同定を行い、かつ、同期を行うタイミングを検出して、タイミング情報として出力する。
【００５９】
図６は、本発明の第１の実施形態による復調・復号部３９（図４）の構成を示す概略ブロック図である。復調・復号部３９は、入力セレクタ６０、制御信号復調・復号部６１、データ信号復調・復号部６２、Ｓ−ＳＣＨ復調・復号部６３ａ、出力セレクタ６４を備えている。
【００６０】
入力セレクタ６０は、受信信号の種類に応じて制御信号に対する復調処理や復号処理を行い、制御信号復調・復号部６１、データ信号復調・復号部６２、Ｓ−ＳＣＨ復調・復号部６３ａにそれぞれ出力する。
制御信号復調・復号部６１は、入力セレクタ６０から出力される信号に含まれる制御信号に対して復調処理や復号処理を行い出力セレクタ６４に出力する。
データ信号復調・復号部６２は、入力セレクタ６０から出力される信号に含まれるデータ信号に対して復調処理や復号処理を行い出力セレクタ６４に出力する。
【００６１】
Ｓ−ＳＣＨ復調・復号部６３ａは、入力セレクタ６０から出力される信号に含まれる同期チャネルＳ−ＳＣＨの信号に対して復調処理や復号処理を行い出力セレクタ６４に出力する。
出力セレクタ６４は、制御信号復調・復号部６１から出力される信号、データ信号復調・復号部６２から出力される信号、Ｓ−ＳＣＨ復調・復号部６３ａから出力される信号のいずれかの信号を選択して出力する。
【００６２】
次に、基地局装置１００（図１）と移動局装置２００（図４）を用いたセルサーチ手順を説明する。基地局装置１００から送信された同期チャネルＰ−ＳＣＨの信号と、同期チャネルＳ−ＳＣＨの信号を受信した移動局装置２００は、Ａ／Ｄ変換部３３でのＡ／Ｄ変換の処理後の受信信号を用いて、同期部３４で同期チャネルＰ−ＳＣＨの信号を検出し、タイミング情報と、セクタ情報を取得する。
そして、タイミング情報に基づいて、ＧＩ除去部３５でガードインターバルＧＩが除去され、Ｓ／Ｐ変換部３６でのＳ／Ｐ変換の処理を経て、同期チャネルＰ−ＳＣＨの信号がＦＦＴ部３７によって高速フーリエ変換の処理が行われ時間領域信号が周波数領域信号に変換される。
【００６３】
伝搬路推定・補償部３８では、周波数領域に変換された同期チャネルＰ−ＳＣＨの信号と、既知の同期チャネルＰ−ＳＣＨの信号のレプリカとの位相・振幅差を測定することで伝搬路推定を行う。
そして、ＦＦＴ部３７により高速フーリエ変換された同期チャネルＳ−ＳＣＨの信号に対して、伝搬路推定値を用いて伝搬路補償を行う。
伝搬路推定・補償部３８によって伝搬路補償された周波数領域の同期チャネルＳ−ＳＣＨの信号は、復調・復号部３９のＳ−ＳＣＨ復調・復号部６３ａに入力される。
【００６４】
図７は、本発明の第１の実施形態によるＳ−ＳＣＨ復調・復号部６３ａ（図６）の構成を示す概略ブロック図である。Ｓ−ＳＣＨ復調・復号部６３ａは、加算部７０＿１、７０＿２、〜、７０＿Ｎ−１、７０＿Ｎ、減算部７１＿１、７１＿２、〜、７１＿Ｎ−１、７１＿Ｎ、系列生成部７２ａ、７２ｂ、ＳＳＣ同定部７３、ＳＳＣ同定部７４、ＳＳＣ＿Ｓｈｏｒｔ候補保持部７５、情報取得部７６を備えている。
【００６５】
Ｓ−ＳＣＨ復調・復号部６３ａは、隣接するサブキャリア間の信号を加減算することにより２つの系列を導出する。ここでは、Ｓ−ＳＣＨ復調・復号部６３ａに入力される伝搬路補償後の信号Ｓｉｎを、以下の式（１０）のように表す。
【００６６】
【数１０】
2009065557.tif 000012
【００６７】
なお、式（１０）において、Ｓｎｏｉｓｅは、ノイズを表わしている。
隣接するサブキャリアの信号を加算した値Ｓｉｎ（０）＋Ｓｉｎ（１）は、以下の式（１１）のように表わされる。
【００６８】
【数１１】
2009065557.tif 000013
【００６９】
上述した式（１０）、式（１１）を用いることにより、ノイズ成分を含む符号ＳＳＣ１（０）を取得することができる。
ノイズ成分であるＳｎｏｉｓｅ（０）とＳｎｏｉｓｅ（１）が、互いに相関のない値をとる場合、ノイズ成分を緩和することができる。
同様にＳｉｎ（２）＋Ｓｉｎ（３）、Ｓｉｎ（４）＋Ｓｉｎ（５）、・・・、Ｓｉｎ（２Ｋ−２）＋Ｓｉｎ（２Ｋ−１）と加算していくことによりノイズ成分を含む符号ＳＳＣ１（１）、符号ＳＳＣ１（２）、・・・、符号ＳＳＣ１（Ｋ−１）を取得できる。
【００７０】
次に、隣接するサブキャリアの信号を減算した値Ｓｉｎ（０）−Ｓｉｎ（１）は、以下の式（１２）のように表わされる。
【００７１】
【数１２】
2009065557.tif 000014
【００７２】
上述した式（１２）を用いることにより、ノイズ成分を含む虚軸上の符号ＳＳＣ２（０）を取得することができる。
ノイズ成分であるＳｎｏｉｓｅ（０）とＳｎｏｉｓｅ（１）が、互いに相関のない値をとる場合、ノイズ成分を緩和することができる。
同様にＳｉｎ（２）−Ｓｉｎ（３）、Ｓｉｎ（４）−Ｓｉｎ（５）、・・・、Ｓｉｎ（２Ｋ−２）−Ｓｉｎ（２Ｋ−１）と減算していくことによりノイズ成分を含む虚軸上の符号ＳＳＣ２（１）、符号ＳＳＣ２（２）、・・・、符号ＳＳＣ２（Ｋ−１）を取得できる。
【００７３】
Ｓ−ＳＣＨ復調・復号部６３ａでは、加算部７０＿１〜７０＿Ｎ、減算部７１＿１〜７１＿Ｎによる加減算で取得した２つの系列と、移動局装置２００で保持する符号ＳＳＣ＿Ｓｈｏｒｔのレプリカとの相関をとることにより、符号ＳＳＣ１、符号ＳＳＣ２の種類（番号）を同定し、その組み合わせから得られる情報（例えば、セルＩＤの一部、フレームタイミング、アンテナ数など）を出力する。
ここでは、レプリカとの相関をとることで、符号ＳＳＣ１、符号ＳＳＣ２の種類（番号）を同定しているが、符号ＳＳＣ１、符号ＳＳＣ２がアダマール符号である場合、高速アダマール変換を用いることにより少ない回路規模で高速に同定することも可能である。
また、相関をとる際に、符号ＳＳＣ１は実軸上の信号となり、符号ＳＳＣ２は虚軸上の信号となるため、複素数での相関演算を行わず、符号ＳＳＣ２における虚軸を実軸であるとして、実数での演算を行うことにより、ノイズを低減し、簡易な相関器で演算することも可能である。
【００７４】
図８は、本発明の第１の実施形態の効果を説明する図である。基地局装置１００のデータ変調部１５１は、移動局装置２００に送信する第１の信号（ａ１、ａ２、ａ３、・・・）と第２の信号（ｂ１、ｂ２、ｂ３、・・・）とを取得する。
また、多重・変調処理部１５４は、データ変調部１５１が取得した第１の信号（例えば、ａ１）を、第１のサブキャリア（例えば、Ｓｃ１）の実軸上とその第１のサブキャリアに隣接する第２のサブキャリア（例えば、Ｓｃ２）の実軸上とに配置する。
また、多重・変調処理部１５４は、データ変調部１５１が取得した第２の信号（例えば、ｂ１）を、前記第１のサブキャリア（Ｓｃ１）の虚軸上とその第１のサブキャリアに隣接する前記第２のサブキャリア（Ｓｃ２）の虚軸上に符号を反転して配置する。
【００７５】
本実施形態によれば、第１の信号および第２の信号を隣接する２つのサブキャリア（例えば、Ｓｃ１とＳｃ２）に、Ｓｃ２の信号がＳｃ１の信号の複素共役となるように配置するようにしたので、あるサブキャリアにおいて第１の信号又は第２の信号を移動局装置２００で受信することができない場合であっても、その信号に隣接するサブキャリアに配置されている信号を受信することによって、第１の信号又は第２の信号を受信することができる。よって、基地局装置１００が送信する信号の移動局装置２００における検出特性を向上させることができる。また、隣接する２つのサブキャリア信号を加算、および減算することにより、容易に第１の信号および第２の信号を導出することが可能となる。
【００７６】
また、本実施形態により、同期チャネルＳ−ＳＣＨによって通知される情報を、サブキャリア間のノイズ成分に相関が無い場合に、ノイズ成分を緩和して送受信することが可能となり、セルサーチ性能が向上する。
また、サブキャリア間隔の半分を超えるような周波数ずれがある場合においても、２サブキャリアに亘り情報が乗っているため、同期チャネルＳ−ＳＣＨの復調誤りを低減することができ、セルサーチ性能を向上することが可能である。
【００７７】
（第２の実施形態）
次に、本発明の第２の実施形態について説明する。本実施形態では、基地局装置１００の同期信号生成部１５３ａ（図１）、移動局装置２００のＳ−ＳＣＨ復調・復号部６３ａ（図６）の処理が、第１の実施形態と異なる。その他については、第１の実施形態と同様であるため、それらの説明を省略する。
【００７８】
図９は、本発明の第２の実施形態による基地局装置の同期信号生成部１５３ｂの構成を示す概略ブロック図である。同期信号生成部１５３ｂは、記憶部２１ａ〜２１ｃ、セレクタ２２、ＳＳＣ＿Ｓｈｏｒｔ保持部２３、ＳＳＣ選択部２４ａ、２５ｂ、乗算部２５ｅ〜２５ｈ、記憶部２６ａ〜２６ｄ、加算部２７ａ、２７ｂ、記憶部２８ｃ、２８ｄ、演算部２９ｂを備えている。
なお、本実施形態の同期信号生成部１５３ｂが、第１の実施形態による同期信号生成部１５３ａと同様の部分については、それらの説明を省略する。
【００７９】
制御部１１（図１）から指定されたＰＳＣ番号に従い、セレクタ２２により符号ＰＳＣ（１）、符号ＰＳＣ（２）、符号ＰＳＣ（３）が選択され出力される。
また、制御部１１から指定されたＳＳＣ１番号（ｎ１）、ＳＳＣ２番号（ｎ２）に従い、以下の処理が行われる。
符号ＳＳＣ１、符号ＳＳＣ２に用いられるバイナリ符号を符号ＳＳＣ＿Ｓｈｏｒｔ（ｎ、ｋ）とする。ここで、ｎ＝１、２、３、・・・、Ｎ−１、Ｎであり、ｋ＝０、１、２、・・・、Ｋ−２、Ｋ−１であり、符号ＳＳＣ＿ＳｈｏｒｔはＮ種類の長さＫの符号で構成される。
【００８０】
符号ＳＳＣ１、符号ＳＳＣ２は上記符号ＳＳＣ＿Ｓｈｏｒｔ、ｋ、ｎ１、ｎ２（ｎ１、ｎ２はＮ以下の自然数）を用いて、以下の式（１３）、式（１４）のように表すことができる。
【００８１】
【数１３】
2009065557.tif 000015
【００８２】
【数１４】
2009065557.tif 000016
【００８３】
上記符号ＳＳＣ１（ｋ）、符号ＳＳＣ２（ｋ）がそれぞれＳＳＣ選択部２４ａ、ＳＳＣ選択部２４ｂによって選択される。ＳＳＣ選択部２４ａ、ＳＳＣ選択部２４ｂによって選択された符号ＳＳＣ１、符号ＳＳＣ２を用いて、以下の系列１（Ｓ１）、系列２（Ｓ２）、系列３（Ｓ３）、系列４（Ｓ４）を生成する。つまり、乗算部２５ｅは、以下の式（１５）によりＳ１（ｋ）を算出し、記憶部２６ａに記録する。また、乗算部２５ｆは、以下の式（１６）によりＳ２（ｋ）を算出し、記憶部２６ｂに記録する。
また、乗算部２５ｇは、以下の式（１７）によりＳ３（ｋ）を算出し、記憶部２６ｃに記録する。また、乗算部２５ｇは、以下の式（１８）によりＳ４（ｋ）を算出し、記憶部２６ｄに記録する。
【００８４】
【数１５】
2009065557.tif 000017
【００８５】
【数１６】
2009065557.tif 000018
【００８６】
【数１７】
2009065557.tif 000019
【００８７】
【数１８】
2009065557.tif 000020
【００８８】
次に、実数の系列Ｓ１（ｋ）、Ｓ３（ｋ）と虚数の系列Ｓ４（ｋ）、Ｓ２（ｋ）を加算することにより複素数の系列Ｓ５（ｋ）、Ｓ６（ｋ）を生成する。つまり、加算部２７ａは、以下の式（１９）によりＳ５（ｋ）を算出し、記憶部２８ｃに記録する。また、加算部２７ｂは、以下の式（２０）によりＳ６（ｋ）を算出し、記憶部２８ｄに記録する。
【００８９】
【数１９】
2009065557.tif 000021
【００９０】
【数２０】
2009065557.tif 000022
【００９１】
そして、演算部２９ｂは、記憶部２８ｃが記憶しているＳ５（ｋ）と、記憶部２８ｄが記憶しているＳ６（ｋ）とを交互に並べることにより系列Ｓ７（ｋ’）を生成する。具体的には、演算部２９ｂは、以下の式（２１）によりＳ７（ｋ’）を生成する。
【００９２】
【数２１】
2009065557.tif 000023
【００９３】
【数２２】
2009065557.tif 000024
【００９４】
ただし、式（８）、式（９）において、ｋ’＝０、１、２、・・・、２Ｋ−２、２Ｋ−１である。演算部２９ｂで生成された系列７（Ｓ７（ｋ’））が符号ＳＳＣとして出力される。
【００９５】
図１０は、本発明の第２の実施形態によるＳ−ＳＣＨ復調・復号部６３ｂの構成を示す概略ブロック図である。Ｓ−ＳＣＨ復調・復号部６３ｂは、加算部７０＿１〜７０＿Ｎ系列生成部７２ａ、７２ｂ、ＳＳＣ同定部７３、ＳＳＣ同定部７４、ＳＳＣ＿Ｓｈｏｒｔ候補保持部７５、情報取得部７６、回転部７７＿１〜７７＿Ｎ、を備えている。本実施形態のＳ−ＳＣＨ復調・復号部６３ｂが、第１の実施形態のＳ−ＳＣＨ復調・復号部６３ａ（図７）と同様の部分については、それらの説明を省略する。
【００９６】
Ｓ−ＳＣＨ復調・復号部６３ｂは、隣接するサブキャリア間の信号に対して実軸成分と虚軸成分の入れ替え、および加減算を行うことにより２つの系列を導出する。
回転部７７＿１〜７７＿Ｎは、入力される複素数の信号を以下の式（２３）で表わされるＳｉとした場合に、以下の式（２４）で表わされる信号Ｓｏを出力する。
【００９７】
【数２３】
2009065557.tif 000025
【００９８】
【数２４】
2009065557.tif 000026
【００９９】
すなわち、回転部７７＿１〜７７＿Ｎは、実軸と虚軸の信号を入れ替え、新たに虚軸となる信号の符号を反転する処理を行う。例えば、１＋ｊ２を回転部７７＿１〜７７＿Ｎに入力すると、以下の式（２５）で表わされる信号Ｒｏｔ（１＋ｊ２）が出力される。
【０１００】
【数２５】
2009065557.tif 000027
【０１０１】
ここでは、Ｓ−ＳＣＨ復調・復号部６３ｂに入力された信号Ｓｉｎを、以下の式（２６）で表す。
【０１０２】
【数２６】
2009065557.tif 000028
【０１０３】
ただし、式（２６）において、Ｓｎｏｉｓｅは、ノイズを表わしている。
Ｓ−ＳＣＨ復調・復号部６３ｂに入力された信号Ｓｉｎ（０）は、それぞれ隣接するサブキャリアの回転部による処理後の信号Ｒｏｔ（Ｓｉｎ（１））と、以下の式（２７）により加算される。
【０１０４】
【数２７】
2009065557.tif 000029
【０１０５】
式（２７）により、ノイズ成分を含む符号ＳＳＣ１（０）を取得することができる。
ノイズ成分であるＳｎｏｉｓｅ（０）とＳｎｏｉｓｅ（１）が、互いに相関のない値をとる場合、ノイズ成分を緩和することができる。
同様にＳｉｎ（２）＋Ｒｏｔ（Ｓｉｎ（３））、Ｓｉｎ（４）＋Ｒｏｔ（Ｓｉｎ（５））、・・・、Ｓｉｎ（２Ｋ−２）＋Ｒｏｔ（Ｓｉｎ（２Ｋ−１））を演算していくことによりノイズ成分を含む符号ＳＳＣ１（１）、符号ＳＳＣ１（２）、・・・、符号ＳＳＣ１（Ｋ−１）を取得できる。
さらに、符号ＳＳＣ２に関しては、以下の式（２８）により算出することができる。
【０１０６】
【数２８】
2009065557.tif 000030
【０１０７】
式（２８）により、ノイズ成分を含む符号ＳＳＣ２（０）を取得することができる。
ノイズ成分であるＳｎｏｉｓｅ（０）とＳｎｏｉｓｅ（１）が互いに相関のない値をとる場合、ノイズ成分を緩和することができる。
同様にＲｏｔ（Ｓｉｎ（２））＋Ｓｉｎ（３）、Ｒｏｔ（Ｓｉｎ（４））＋Ｓｉｎ（５）、・・・、Ｒｏｔ（Ｓｉｎ（２Ｋ−２））＋Ｓｉｎ（２Ｋ−１）を演算していくことによりノイズ成分を含む符号ＳＳＣ２（１）、符号ＳＳＣ２（２）、・・・、符号ＳＳＣ２（Ｋ−１）を取得できる。
【０１０８】
図１１は、本発明の第２の実施形態の効果を説明する図である。基地局装置１００のデータ変調部１５１は、移動局装置２００に送信する第１の信号（ａ１、ａ２、ａ３、・・・）と第２の信号（ｂ１、ｂ２、ｂ３、・・・）とを取得する。
多重・変調処理部１５４は、データ変調部１５１が取得した第１の信号（例えば、ａ１）を、第１のサブキャリア（例えば、Ｓｃ１）の実軸上とその第１のサブキャリアに隣接する第２のサブキャリア（例えば、Ｓｃ２）の虚軸上とに配置する。
また、多重・変調処理部１５４は、データ変調部１５１が取得した第２の信号（例えば、ｂ１）を、前記第１のサブキャリア（Ｓｃ１）の虚軸上とその第１のサブキャリアに隣接する前記第２のサブキャリア（Ｓｃ２）の実軸上とに配置する。
【０１０９】
本実施形態によれば、隣接するサブキャリア（例えば、Ｓｃ１とＳｃ２）の実軸上と虚軸上に第１の信号（例えば、ａ１）を配置するとともに、前記隣接するサブキャリア（Ｓｃ１とＳｃ２）の虚軸上と実軸上に第２の信号（例えば、ｂ１）を配置するようにしたので、第１の信号又は第２の信号を移動局装置２００で受信することができない場合であっても、その信号に隣接するサブキャリアに配置されている信号を受信することができる。よって、基地局装置１００が送信する信号の移動局装置２００における検出特性を向上させることができる。また、第２のサブキャリアの信号に対して９０度位相を回転させる処理を施し、第１および第２のサブキャリア信号を加算、および減算することにより、容易に第１の信号および第２の信号を導出することが可能となる。
【０１１０】
Ｓ−ＳＣＨ復調・復号部６３ｂでは、加算部７０＿１〜７０＿Ｎの演算結果により算出された２つの系列と、移動局装置で保持する符号ＳＳＣ＿Ｓｈｏｒｔのレプリカとの相関をとることにより、符号ＳＳＣ１、符号ＳＳＣ２の種類（番号）を同定し、その組み合わせから得られる情報（例えばセルＩＤの一部、フレームタイミング、アンテナ数など）を出力する。
ここではレプリカとの相関をとることで、符号ＳＳＣ１、符号ＳＳＣ２の種類（番号）を同定しているが、符号ＳＳＣ１、符号ＳＳＣ２がアダマール符号である場合、高速アダマール変換を用いることにより少ない回路規模で高速に同定することも可能である。
また、相関をとる際に、符号ＳＳＣ１、符号ＳＳＣ２は実軸上の信号となり、実数での相関演算を行うことにより、ノイズを低減し、簡易な相関器で演算することも可能である。
【０１１１】
本実施形態により、同期チャネルＳ−ＳＣＨによって通知される情報を、サブキャリア間のノイズ成分に相関が無い場合に、ノイズ成分を緩和して送受信することが可能となり、セルサーチ性能が向上する。
また、サブキャリア間隔の半分を超えるような周波数ずれがある場合においても、２サブキャリアに亘り情報が乗っているため、同期チャネルＳ−ＳＣＨの復調誤りを低減することができ、セルサーチ性能を向上することが可能である。
【０１１２】
（第３の実施形態）
次に、本発明の第３の実施形態について説明する。本実施形態では、基地局装置１００の同期信号生成部１５３ａ（図１）、移動局装置２００のＳ−ＳＣＨ復調・復号部６３ａ（図６）の処理が、第１の実施形態と異なる。その他については、第１の実施形態と同様であるため、それらの説明を省略する。
【０１１３】
図１２は、本発明の第３の実施形態による基地局装置の同期信号生成部１５３ｃの構成を示す概略ブロック図である。同期信号生成部１５３ｃは、記憶部２１ａ〜２１ｃ、セレクタ２２、ＳＳＣ＿Ｓｈｏｒｔ保持部２３、ＳＳＣ選択部２４ａ、２５ｂ、乗算部２５ａ〜２５ｄ、記憶部２６ａ〜２６ｄ、加算部２７ａ、２７ｂ、記憶部２８ａ、２８ｅ、演算部２９ｃ、演算部２０を備えている。演算部２０は、乗算部２０ａ、Ｓｓｃｒ生成部２０ｂを備えている。
なお、本実施形態の同期信号生成部１５３ｃが、第１の実施形態による同期信号生成部１５３ａと同様の部分については、それらの説明を省略する。
【０１１４】
乗算部２０ａは、乗算部２７ｂが生成するＳ５（ｋ）と、Ｓｓｃｒ生成部２０ｂで保持・または生成される所定の振幅（例えば、振幅１）の既定の符号（スクランブリングコード）Ｓｓｃｒとを、以下の式（２９）により乗算してＳ６（ｋ）を算出する。
【０１１５】
【数２９】
2009065557.tif 000031
【０１１６】
ここで用いる符号は無線システムで共通のもの、あるいはセルサーチの処理で同期チャネルＰ−ＳＣＨから得られるセクタ番号などの情報から一意に選択されるもの、またはセルの種別（広域セル、マイクロセル、ピコセル、ホットスポット、プライベートセルなどの違い）によって予め定義されるものが用いられる。
乗算部２０ａが出力するＳ６（ｋ）は、記憶部２８ｅに記録される。
【０１１７】
演算部２９ｃは、記憶部２８ａが記憶しているＳ４（ｋ）と、記憶部２８ｅが記憶しているＳ６（ｋ）とを交互に並べることにより、以下の式（３０）、式（３１）によって系列Ｓ７（ｋ’）を生成する。
【０１１８】
【数３０】
2009065557.tif 000032
【０１１９】
【数３１】
2009065557.tif 000033
【０１２０】
ただし、式（８）、式（９）において、ｋ’＝０、１、２、・・・、２Ｋ−２、２Ｋ−１である。演算部２９ｃで生成された系列７（Ｓ７（ｋ’））が符号ＳＳＣとして出力される。
【０１２１】
図１３は、本発明の第３の実施形態によるＳ−ＳＣＨ復調・復号部６３ｃの構成を示す概略ブロック図である。Ｓ−ＳＣＨ復調・復号部６３ｃは、加算部７０＿１〜７０＿Ｎ、減算部７１＿１〜７１＿Ｎ、系列生成部７２ａ、７２ｂ、ＳＳＣ同定部７３、ＳＳＣ同定部７４、ＳＳＣ＿Ｓｈｏｒｔ候補保持部７５、情報取得部７６を備えている。
【０１２２】
Ｓ−ＳＣＨ復調・復号部６３ｃは、隣接するサブキャリア間の信号の片方へ既知の符号Ｓｓｃｒの複素共役信号であるＳｓｃｒ＊を乗算部７７＿１〜７７＿Ｎで乗算した後に、加算部７０＿１〜７０＿Ｎ、減算部７１＿１〜７１＿Ｎで加減算することにより２つの系列を導出する。
ここでＳｓｃｒは、基地局装置および移動局装置で既知の符号、基地局装置におけるセクタから一意に決まる符号、基地局装置のセル種別（広域セル、マイクロセル、ピコセル、ホットスポット、プライベートセルなど）によって一意に決まる符号などである。
すなわち、移動局装置では上記Ｓｓｃｒに対応した、既知であるＳｓｃｒ＊、図４の同期部で同定したセクタ情報から一意に決まるＳｓｃｒ＊、自移動局装置が同期を行いたいセル種別に対応したＳｓｃｒ＊などを用いることになる。
ここではＳ−ＳＣＨ復調・復号部６３ｃに入力された伝搬路補償後の信号Ｓｉｎを、式（３２）で表す。
【０１２３】
【数３２】
2009065557.tif 000034
【０１２４】
式（３２）において、Ｓｎｏｉｓｅはノイズを表わしている。
乗算部７７＿１〜７７＿Ｎは、Ｓｉｎの奇数番目の信号にＳｓｃｒ＊を乗算する。ｂ＝１、３、５、・・・、２Ｋ−１とすると、乗算部７７＿１〜７７＿Ｎが出力する信号は、以下の式（３３）のように表すことができる。
【０１２５】
【数３３】
2009065557.tif 000035
【０１２６】
式（３３）において、Ｓ’ｎｏｉｓｅは、ＳｎｏｉｓｅにＳｓｃｒ＊が乗算されたものである。上記の演算を行った信号と、隣接するサブキャリア間の信号のもう一方の信号とを加算部７０＿１〜７０＿Ｎで加算した場合、その加算結果は、以下の式（３４）で表すことができる。
【０１２７】
【数３４】
2009065557.tif 000036
【０１２８】
式（３４）により、ノイズ成分を含む符号ＳＳＣ１（０）を取得することができる。
ノイズ成分であるＳｎｏｉｓｅ（０）とＳ’ｎｏｉｓｅ（０）が互いに相関のない値をとる場合、ノイズ成分を緩和することができる。
同様にＳｉｎ（２）＋Ｓｉｎ（３）×Ｓｓｃｒ＊（１）、Ｓｉｎ（４）＋Ｓｉｎ（５）×Ｓｓｃｒ＊（２）、・・・、Ｓｉｎ（２Ｋ−２）＋Ｓｉｎ（２Ｋ−１）×Ｓｓｃｒ＊（Ｋ−１）と演算していくことによりノイズ成分を含む符号ＳＳＣ１（１）、符号ＳＳＣ１（２）、・・・、符号ＳＳＣ１（Ｋ−１）を取得できる。
【０１２９】
一方、減算部７１＿１〜７１＿Ｎにより減算した減算結果は、以下の式（３５）により表すことができる。
【０１３０】
【数３５】
2009065557.tif 000037
【０１３１】
式（３５）により、ノイズ成分を含む虚軸上の符号ＳＳＣ２（０）を取得することができる。
ノイズ成分であるＳｎｏｉｓｅ（０）とＳ’ｎｏｉｓｅ（０）が互いに相関のない値をとる場合、ノイズ成分を緩和することができる。
同様にＳｉｎ（２）−Ｓｉｎ（３）×Ｓｓｃｒ＊（１）、Ｓｉｎ（４）−Ｓｉｎ（５）×Ｓｓｃｒ＊（２）、・・・、Ｓｉｎ（２Ｋ−２）−Ｓｉｎ（２Ｋ−１）×Ｓｓｃｒ＊（Ｋ−１）と演算していくことによりノイズ成分を含む虚軸上の符号ＳＳＣ２（１）、符号ＳＳＣ２（２）、・・・、符号ＳＳＣ２（Ｋ−１）を取得できる。
【０１３２】
Ｓ−ＳＣＨ復調・復号部６３ｃでは、上記加減算で取得した２つの系列と、移動局装置で保持する符号ＳＳＣ＿Ｓｈｏｒｔのレプリカとの相関をとることにより、符号ＳＳＣ１、符号ＳＳＣ２の種類（番号）を同定し、その組み合わせから得られる情報（例えばセルＩＤの一部、フレームタイミング、アンテナ数など）を出力する。
ここではレプリカとの相関をとることで、符号ＳＳＣ１、符号ＳＳＣ２の種類（番号）を同定しているが、符号ＳＳＣ１、符号ＳＳＣ２がアダマール符号である場合、高速アダマール変換を用いることにより少ない回路規模で高速に同定することも可能である。
また、相関をとる際に、符号ＳＳＣ１は実軸上の信号となり、符号ＳＳＣ２は虚軸上の信号となるため、複素数での相関演算を行わず、符号ＳＳＣ２における虚軸を実軸であるとして、実数での演算を行うことにより、ノイズを低減し、簡易な相関器で演算することも可能である。
【０１３３】
本実施形態により、同期チャネルＳ−ＳＣＨによって通知される情報を、サブキャリア間のノイズ成分に相関が無い場合に、ノイズ成分を緩和して送受信することが可能となり、セルサーチ性能が向上する。
また、サブキャリア間隔の半分を超えるような周波数ずれがある場合においても、２サブキャリアに亘り情報が乗っているため、同期チャネルＳ−ＳＣＨの復調誤りを低減することができ、セルサーチ性能が向上する。
また、Ｓｓｃｒをセクタごとに異なる符号にすることにより他セルとのセクタ間干渉を緩和することができる。
また、Ｓｓｃｒをセルの種別ごとに異なる符号にすることにより自移動局装置が希望する種類のセルに同期することができる。
【０１３４】
上述した第１から第３の実施形態では、符号ＳＳＣ１、符号ＳＳＣ２を２種類のバイナリ符号として実軸、虚軸に配置して組み合わせることにより複素符号として演算を行っているが、１種類の複素符号に対しても上記演算を適用することにより復調誤りを低減することが可能である。
また、符号ＳＳＣ１、符号ＳＳＣ２を２種類のバイナリ符号として記述しているが、符号ＳＳＣ１、符号ＳＳＣ２がさらに短いバイナリ符号の組み合わせであっても良い。
【０１３５】
なお、以上説明した実施形態において、第１から第３の実施形態による基地局装置（図１）や移動局装置（図４）の機能を実現するためのプログラムをコンピュータ読み取り可能な記録媒体に記録して、この記録媒体に記録されたプログラムをコンピュータシステムに読み込ませ、実行することにより基地局装置や移動局装置の制御を行っても良い。なお、ここでいう「コンピュータシステム」とは、ＯＳや周辺機器等のハードウェアを含むものとする。
【０１３６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１３７】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【０１３８】
【図１】本発明の第１の実施形態による基地局装置１００の構成を示す概略ブロック図である。
【図２】本発明の第１の実施形態による基地局装置１００の同期信号生成部１５３ａ（図１）の構成を示す概略ブロック図である。
【図３】本発明の第１の実施形態によるマッピング方法を説明する図である。
【図４】本発明の第１の実施形態による移動局装置２００の構成を示す概略ブロック図である。
【図５】本発明の第１の実施形態による同期部３４（図４）の構成を示す概略ブロック図である。
【図６】本発明の第１の実施形態による復調・復号部３９（図４）の構成を示す概略ブロック図である。
【図７】本発明の第１の実施形態によるＳ−ＳＣＨ復調・復号部６３ａ（図６）の構成を示す概略ブロック図である。
【図８】本発明の第１の実施形態の効果を説明する図である。
【図９】本発明の第２の実施形態による基地局装置の同期信号生成部１５３ｂの構成を示す概略ブロック図である。
【図１０】本発明の第２の実施形態によるＳ−ＳＣＨ復調・復号部６３ｂの構成を示す概略ブロック図である。
【図１１】本発明の第２の実施形態の効果を説明する図である。
【図１２】本発明の第３の実施形態による基地局装置の同期信号生成部１５３ｃの構成を示す概略ブロック図である。
【図１３】本発明の第３の実施形態によるＳ−ＳＣＨ復調・復号部６３ｃの構成を示す概略ブロック図である。
【図１４】従来から知られているセルサーチ手順の処理を示すフローチャートである。
【図１５】ＥＵＴＲＡにおける無線フレームの構成の一例を示す図である。
【図１６】ＥＵＴＲＡにおける同期チャネルＳＣＨ（Ｐ−ＳＣＨ、Ｓ−ＳＣＨ）について説明する図である。
【図１７】従来から知られているセルの構成を説明する図である。
【図１８】従来から知られている同期チャネルＳ−ＳＣＨの構成を説明する図である。
【符号の説明】
【０１３９】
１１・・・制御部、１２ａ〜１２ｃ・・・受信アンテナ、１３ａ〜１３ｃ・・・受信部、１４ａ〜１４ｃ・・・送信アンテナ、１５ａ〜１５ｃ・・・送信部、３１・・・受信アンテナ、３２・・・受信処理部、３３・・・Ａ／Ｄ変換部、３４・・・同期部、３５・・・ＧＩ除去部、３６・・・Ｓ／Ｐ変換部、３７・・・ＦＦＴ部、３８・・・伝搬路推定・補償部、３９・・・復調・復号部、４０・・・変調部、４１・・・ＩＦＦＴ部、４２・・・Ｐ／Ｓ変換部、４３・・・ＧＩ付加部、４４・・・Ｄ／Ａ変換部、４５・・・送信処理部、４６・・・送信アンテナ、４７・・・制御部、１００・・・基地局装置、１３１・・・受信処理部、１３２・・・Ａ／Ｄ変換部、１３３・・・復調処理部、２００・・・移動局装置
【図１】
2009065557.tif 000038
【図２】
2009065557.tif 000039
【図３】
2009065557.tif 000040
【図４】
2009065557.tif 000041
【図５】
2009065557.tif 000042
【図６】
2009065557.tif 000043
【図７】
2009065557.tif 000044
【図８】
2009065557.tif 000045
【図９】
2009065557.tif 000046
【図１０】
2009065557.tif 000047
【図１１】
2009065557.tif 000048
【図１２】
2009065557.tif 000049
【図１３】
2009065557.tif 000050
【図１４】
2009065557.tif 000051
【図１５】
2009065557.tif 000052
【図１６】
2009065557.tif 000053
【図１７】
2009065557.tif 000054
【図１８】
2009065557.tif 000055